(57)【要約】【課題】実装面積を増大させることなく、高周波クロック使用時と低周波クロック使用時のフレーム期間を一致させる。【解決手段】  第１の表示モード用のタイミング信号を発生するための第１のクロックを発生する第１の発振回路１８と、第２の表示モード用のタイミング信号を発生するための第２のクロックであって、前記第１のクロックよりも低い周波数の第２のクロックを発生する第２の発振回路１９と、制御信号に基づいて、前記第１のクロックに基づくタイミング信号によって規定されるフレーム期間に対応させて、前記第２のクロックの周波数を調整する調整手段１７と、を具備したことを特徴とする。【選択図】      図１
2007093666.tif 000002
【特許請求の範囲】
【請求項１】
第１の表示モード用のタイミング信号を発生するための第１のクロックを発生する第１の発振回路と、
第２の表示モード用のタイミング信号を発生するための第２のクロックであって、前記第１のクロックよりも低い周波数の第２のクロックを発生する第２の発振回路と、
制御信号に基づいて、前記第１のクロックに基づくタイミング信号によって規定されるフレーム期間に対応させて、前記第２のクロックの周波数を調整する調整手段と、
を具備したことを特徴とする電気光学装置の駆動回路。
【請求項２】
前記第２の発振回路は、抵抗及び容量の値によって発振周波数が変化し、
前記調整手段は、前記抵抗及び容量の少なくとも一方の値を、前記制御信号に基づいて制御することにより、前記第２のクロックの周波数を調整することを特徴とする請求項１に記載の電気光学装置の駆動回路。
【請求項３】
前記調整手段は、複数の抵抗値のうちの１つを選択するためのスイッチ素子を、前記制御信号に基づいてオン，オフ制御することにより、前記第２のクロックの周波数を調整することを特徴とする請求項２に記載の電気光学装置の駆動回路。
【請求項４】
前記第１の表示モードは、階調表示であり、
前記第２の表示モードは、２値画像表示であることを特徴とする請求項１に記載の電気光学装置の駆動回路。
【請求項５】
請求項１乃至４のいずれか１つに記載の電気光学装置の駆動回路と、
複数の走査線と複数のデータ線との交差に対応して画素が設けられ、前記電気光学装置の駆動回路によって前記画素が駆動される表示領域と、
を具備したことを特徴とする電気光学装置。
【請求項６】
前記第１及び第２の発振回路は、前記画素が設けられた基板上に構成されていることを特徴とする請求項５に記載の電気光学装置。
【発明の詳細な説明】
【技術分野】
【０００１】
本発明は、周波数が異なる複数のクロックを用いることで低消費電力化を図る液晶表示パネルに好適な電気光学装置の駆動回路及びこれを用いた電気光学装置に関する。
【背景技術】
【０００２】
電気光学装置の一例である液晶表示装置においては、基板間に液晶が介在されて画素が構成された液晶表示モジュール（ＬＣＤモジュール）と、このＬＣＤモジュールを駆動するドライバとを有する。ドライバとしては、例えば、走査線駆動回路及びデータ線駆動回路等を含む。
【０００３】
ＬＣＤモジュールに画像を表示する場合には、液晶コントローラによって、ビデオＲＡＭに記憶された表示データを読み出して、ＬＣＤモジュールに転送する。階調表示を行う場合には、液晶コントローラは、ＬＣＤモジュールに対する転送を高速に行うために、高周波クロックを用いる。
【０００４】
また、ＬＣＤモジュールに２値画像を表示させることもある。このような場合には、表示データを低い転送レートでＬＣＤモジュールに転送すればよく、液晶コントローラは低周波クロックを用いたデータ転送を行う。
【０００５】
特許文献１においては、高周波クロックを発生する高周波発振回路と、低周波クロックを発生する低周波発振回路とを用意し、表示データ処理指令にしたがって高周波発振回路を間欠動作させることで、液晶表示装置全体の低消費電力化を図る技術が提案されている。
【特許文献１】特開２００２−４０９７８公報
【発明の開示】
【発明が解決しようとする課題】
【０００６】
ところで、特許文献１の提案においては、低周波クロックと高周波クロックとを別個の回路によって発生させ、各回路を個別に制御することによって、低消費電力化を図っている。
【０００７】
ところが、低周波発振回路と高周波発振回路とが別々に構成されていることから、各発振回路の発振周波数のばらつき等によって、低周波クロック使用時と高周波クロック使用時とでフレーム周波数が若干異なることがある。
【０００８】
このようなフレーム周波数の相違によって、階調表示時と２値画像表示時とで、コントラストが異なり、色味が変化してしまうという問題があった。
【０００９】
本発明はかかる問題点に鑑みてなされたものであって、低周波クロック使用時と高周波クロック使用時とでフレーム周波数を一致させることができる電気光学装置の駆動回路及びこれを用いた電気光学装置を提供することを目的とする。
【課題を解決するための手段】
【００１０】
本発明に係る電気光学装置の駆動回路は、第１の表示モード用のタイミング信号を発生するための第１のクロックを発生する第１の発振回路と、第２の表示モード用のタイミング信号を発生するための第２のクロックであって、前記第１のクロックよりも低い周波数の第２のクロックを発生する第２の発振回路と、制御信号に基づいて、前記第１のクロックに基づくタイミング信号によって規定されるフレーム期間に対応させて、前記第２のクロックの周波数を調整する調整手段とを具備したことを特徴とする。
【００１１】
このような構成によれば、第１の発振回路は第１のクロックを発生し、この第１のクロックを用いて第１の表示モード用のタイミング信号が発生される。また、第２の表示モード時には、第２の発振回路によって第２のクロックが発生され、この第２のクロックに基づいてタイミング信号が発生する。第２のクロックは第１のクロックよりも低い周波数であり、第２の表示モード時には第１の表示モード時よりも低消費電力化を図ることができる。調整手段は、制御信号に基づいて、第１のクロックに基づくタイミング信号によって規定されるフレーム期間に対応させて、第２のクロックの周波数を調整する。これにより、第２のクロックを用いた第２の表示モードにおけるフレーム期間を、第１の表示モードにおけるフレーム期間に一致させることができる。制御信号によって、第２のクロックの周波数を調整することができ、簡単に、第１の表示モード時と第２の表示モード時における表示品位を揃えることができる。
【００１２】
また、前記第２の発振回路は、抵抗及び容量の値によって発振周波数が変化し、前記調整手段は、前記抵抗及び容量の少なくとも一方の値を、前記制御信号に基づいて制御することにより、前記第２のクロックの周波数を調整することを特徴とする。
【００１３】
このような構成によれば、第２の発振回路の発振周波数は、抵抗及び容量の値によって変化させることができる。調整手段は、制御信号に基づいて、抵抗及び容量の少なくとも一方の値を制御して、第２のクロックの周波数を調整する。これにより、簡単に、第１の表示モード時と第２の表示モード時における表示品位を揃えることができる。
【００１４】
また、前記調整手段は、複数の抵抗値のうちの１つを選択するためのスイッチ素子を、前記制御信号に基づいてオン，オフ制御することにより、前記第２のクロックの周波数を調整することを特徴とする。
【００１５】
このような構成によれば、抵抗値を選択するためのスイッチ素子を設けることによって調整手段を構成することができ、簡単な構成で第１の表示モード時と第２の表示モード時における表示品位を揃えることができる。
【００１６】
また、前記第１の表示モードは、階調表示であり、前記第２の表示モードは、２値画像表示であることを特徴とする。
【００１７】
このような構成によれば、階調表示時と２値画像表示時とで、表示品位が変化することを防止することができる。
【００１８】
また、本発明に係る電気光学装置は、上記電気光学装置の駆動回路と、複数の走査線と複数のデータ線との交差に対応して画素が設けられ、前記電気光学装置の駆動回路によって前記画素が駆動される表示領域と、を具備したことを特徴とする。
【００１９】
このような構成によれば、第１及び第２の表示モード時において、表示品位を一致させた画像を表示させることができる。
【００２０】
また、前記第１及び第２の発振回路は、前記画素が設けられた基板上に構成されていることを特徴とする。
【００２１】
このような構成によれば、第１の及び第２の発振回路の特性を略一致させることができ、第１，第２のクロックの周波数が変動する場合でも、第１の表示モードにおけるフレーム期間と第２の表示モードにおけるフレーム期間とを相対的には一致させることができる。
【発明を実施するための最良の形態】
【００２２】
以下、図面を参照して本発明の実施の形態について詳細に説明する。図１は本発明の一実施の形態に係る電気光学装置の駆動回路を示すブロック図である。本実施の形態は電気光学装置として、例えば、２端子スイッチング素子であるＴＦＤ（Thin Film Diode：薄膜ダイオード）を用いた液晶表示装置に適用した例を示している。図２は液晶表示装置の全体構造を概略的に示す斜視図である。
【００２３】
＜構成＞
電気光学装置３１は、図２に示すように、一対の基板３２，３３を対向配置し、両基板相互間に液晶３４を封入した構成である。基板３２，３３には、水平方向に延在して設けられる複数の図示しない走査線と、垂直方向に延在して設けられる複数の図示しないデータ線との交差に対応して、画素がマトリクス状に配置されている。
【００２４】
破線で囲った表示領域３７においては、各画素に、データ線を介してデータ信号が供給され、走査線を介して走査信号が供給される。走査信号によって選択されたラインの各画素にデータ線を介してデータ信号が与えられる。これにより、基板３２，３３相互間の液晶３４の状態が変化して、各画素の透過率が表示データに応じて変化する。こうして、画像表示が行われる。
【００２５】
電気光学装置３１を構成する素子基板３２上には、画素が構成された表示領域３７以外の領域において、走査線及びデータ線を駆動するためのドライバ部３５が形成されている。ドライバ部３５は、後述する走査線駆動回路２０（図１参照）及びデータ線駆動回路２１等を含んでおり、ＣＯＧ（Chip On Glass）技術により実装されている。走査線駆動回路は、走査線に走査信号を供給し、データ線駆動回路はデータ線にデータ信号を供給する。
【００２６】
また、素子基板３２上には、ＦＰＣ（Flexible Printed Circuit）基板３６等が取り付けられている。ＦＰＣ基板３６によって、データ信号やコマンド等の各種信号がドライバ部３５に供給されるようになっている。
【００２７】
図１は図２中のドライバ部３５の具体的な構成を示している。なお、図１においては、図２の素子基板３２上に、ドライバ部３５の全ての構成が設けられているものとして説明しているが、その一部の構成のみを素子基板３２上に設ける構成を採用してもよい。例えば、データ線駆動回路２０及び走査線駆動回路２１のみを素子基板３２上に設け、他の構成要素は素子基板３２にＣＯＧ実装するのではなく、ＴＡＢ（Tape Automated Bonding）技術を用いて、ＴＣＰ（Tape Carrier Package）上に実装し、基板の所定位置に設けられる異方性導電膜により電気的及び機械的に接続する構成としてもよい。
【００２８】
図１において、ＭＰＵ１２は、ドライバ部３５全体を制御する。ＭＰＵ１２には表示データ及び各種コマンドが入力される。Ｉ／Ｆ制御回路１３は、ＦＰＣ基板３６を介して入力される信号と電気光学装置３１内部で扱う信号とのインタフェースを行う。コマンドデコーダ１４は、入力されたコマンドを解析して、解析結果に基づく制御を行うための信号を各部に供給する。例えば、ＭＰＵ１２は、入力されたコマンドに従って、各種制御信号を発生して、ＶＲＡＭ制御回路１５及び発振制御回路１７等を制御する。
【００２９】
ＶＲＡＭ制御回路１５は、ＶＲＡＭ（ビデオメモリ）１６を有しており、ＭＰＵ１２に制御され、ＭＰＵ１２からの表示データをＶＲＡＭ１６に記憶させる。また、ＶＲＡＭ制御回路１５は、画像を画面上に表示させる場合には、ＶＲＡＭ１６から表示データを読み出して、データバスを介してデータ線駆動回路２０に供給する。
【００３０】
発振制御回路１７は、高周波発振回路１８及び低周波発振回路１９を有しており、ＭＰＵ１２からのコマンドによって制御されて、高周波クロック及び低周波発振クロックを発生させる。高周波発振回路１８は高周波クロックを発生し、低周波発振回路１９は低周波クロックを発生する。これらの高周波クロック及び低周波クロックはデータ線駆動回路２０及び走査線駆動回路２１に与えられる。
【００３１】
データ線駆動回路２０及び走査線駆動回路２１には電力制御回路２７から電力が供給される。また、データ線駆動回路２０及び走査線駆動回路２１にはＶＲＡＭ１６から読み出された表示データが供給される。
【００３２】
データ線駆動回路２０は、ＬＣＤ駆動回路２２、ＰＷＭ回路２３及びタイミング制御回路２４によって構成されている。ＰＷＭ回路２３は、入力された表示データをＰＷＭ変調する。ＬＣＤ駆動回路２２は、ＰＷＭ変調された表示データを対応する各データ線に供給する。この場合には、ＬＣＤ駆動回路２２は、タイミング制御回路２４からのタイミング信号に応じたタイミングでデータ線への書込みを行うようになっている。
【００３３】
タイミング制御回路２４は、高周波クロック及び低周波クロックに基づいて、水平及び垂直同期信号を含む各種タイミング信号を発生して、ＬＣＤ駆動回路２２及びＰＷＭ回路２３を制御するようになっている。
【００３４】
走査線駆動回路２１は、ＬＣＤ駆動回路２５及びタイミング制御回路２６によって構成されている。ＬＣＤ駆動回路２５は、走査信号を発生して各走査線に順次供給する。この場合には、ＬＣＤ駆動回路２５は、タイミング制御回路２６からのタイミング信号に応じたタイミングで各走査線に供給する走査信号を発生するようになっている。
【００３５】
タイミング制御回路２６は、高周波クロック及び低周波クロックに基づいて、水平及び垂直同期信号を含む各種タイミング信号を発生して、ＬＣＤ駆動回路２５を制御するようになっている。
【００３６】
本実施の形態においては、後述するように、高周波クロック及び低周波クロックの周波数が、高周波クロックに基づくフレーム周波数に対応して決定されている。従って、タイミング制御回路２４，２６のタイミング信号によって規定されるフレーム周波数は、高周波クロック使用時と低周波クロック使用時とで相互に一致する。
【００３７】
図３は図１中の低周波発振回路１９の具体的な構成を示す回路図である。
【００３８】
図３の例は３段のＣＭＯＳ発振回路に適用した例である。ＮＡＮＤ回路４３、インバータ４４，４５、コンデンサＣ１及び抵抗Ｒ１〜Ｒ４によって発振部が構成される。
【００３９】
ＮＡＮＤ回路４３の出力はインバータ４４に与えられ、インバータ４４の出力はコンデンサＣ１を介してＮＡＮＤ回路４３の一方の入力端に帰還される。ＮＡＮＤ回路４３の他方の入力端にはコマンド制御回路４１の出力が与えられる。また、インバータ４４の出力はインバータ４５にも与えられ、インバータ４５の出力は帰還抵抗群４７を介してＮＡＮＤ回路４３の一方の入力端に帰還される。
【００４０】
コマンド制御回路４１には、ＭＰＵ１２からの制御信号が入力される。コマンド制御回路４１は、制御信号によって低周波クロックの発振が指示されると、ハイレベル（以下、“Ｈ”という）の信号をＮＡＮＤ回路４３の他方入力端に与える。これにより、ＮＡＮＤ回路４３の出力がインバータ４４に供給されて、発振動作が開始される。
【００４１】
図３の低周波発振回路１９の発振周波数は、帰還抵抗群４７の抵抗値及びコンデンサＣ１の容量によって決定される。本実施の形態においては、選択回路４２によって帰還抵抗群４７の抵抗値を変化させることができるようになっている。
【００４２】
帰還抵抗群４７は、インバータ４５の出力端に直列接続された複数（図３では４個）の抵抗Ｒ１〜Ｒ４を有している。各抵抗Ｒ１〜Ｒ４の接続点及び抵抗Ｒ４の端部とＮＡＮＤ回路４３の一方入力端との間には、夫々スイッチＳＷ１〜ＳＷ４が設けられている。選択回路４２は、コマンド制御回路４１からの制御信号が与えられており、入力された制御信号に基づいてスイッチＳＷ１〜ＳＷ４のいずれか１つをオンにし、他のスイッチをオフにする。これにより、帰還抵抗群４７の抵抗値、即ち、インバータ４５の出力端とＮＡＮＤ回路４３の入力端との間の抵抗値は、選択回路４２に供給される制御信号に基づくものとなる。
【００４３】
図３に示す帰還型発振回路は、上述したように、帰還信号の時間遅れによって発振周波数が決定される。帰還抵抗群４７の抵抗値が選択回路４２に供給される制御信号に基づくものとなっており、低周波発振回路１９の発振周波数は制御信号に応じて変化する。
【００４４】
本実施の形態においては、ＭＰＵ１２は、低周波発振回路１９の低周波クロックの発振周波数を、高周波クロックの発振周波数に基づいて決定する。即ち、ＭＰＵ１２は、低周波クロックを用いて得られるフレーム期間が、高周波クロックを用いて得られるフレーム期間に一致するように、低周波クロックの発振周波数を決定するようになっている。
【００４５】
なお、発振回路としては、種々の方式を採用することができる。外部コマンドによって発振周波数を制御可能であれば、いずれの種類の発振回路を採用してもよい。
【００４６】
また、低周波発振回路１９及び高周波発振回路１８は、基板上に同一の半導体プロセスによって形成されている。即ち、帰還抵抗群４７の各抵抗Ｒ１〜Ｒ４は、外付け部品ではなく、ＣＯＧ実装されたものである。従って、外付け部品として帰還抵抗を実装する場合のように、実装面積が増大することはない。また、帰還抵抗を配置するためにＦＰＣ等の形状を考慮する必要もなく、設計の自由度を向上させることができる。
【００４７】
また、高周波発振回路１８及び低周波発振回路１９は、相互に基板の近接した位置に形成される。これにより、温度特性等のデバイス特性を略一致させることができる。従って、選択回路４２による周波数の調整後に、一方の発振周波数が変動する場合には、この変動に応じて他方の発振周波数も変動し、相対的にはフレーム期間を一致させることができる。
【００４８】
＜作用＞
次に、このように構成された実施の形態の動作について図４及び図５を参照して説明する。図４はデータ線駆動回路２０及び走査線駆動回路２１において用いるクロックの切換えタイミングを説明するためのタイミングチャートであり、図５は本実施の形態における高周波クロックと低周波クロックとの関係を説明するためのタイミングチャートである。図４は斜線によって発振期間を示している。
【００４９】
本実施の形態においては、電気光学装置３１の表示領域３７において、階調表示による画像表示を行うと共に、２値画像表示を行うこともできる。いま、階調表示が行われるものとする。ＭＰＵ１２には、表示データが供給される。ＭＰＵ１２は表示データをＶＲＡＭ制御回路１５に転送する。ＶＲＡＭ制御回路１５は、転送された表示データをＶＲＡＭ１６に記憶させる。また、ＭＰＵ１２は、階調表示を行うことを示すコマンドが入力され、発振制御回路１７に高周波クロックを発生させるための制御信号を出力する。
【００５０】
発振制御回路１７は、低周波発振回路１９の動作を停止させると共に、高周波発振回路１８を動作させて高周波クロックを発生させる。なお、低周波発振回路１９はコマンド制御回路４１からローレベル（以下、“Ｌ”という）の信号を出力することで、発振を停止している。
【００５１】
高周波発振回路１８は、所定周波数の高周波クロックを発生して、データ線駆動回路２０及び走査線駆動回路２１に出力する。データ線駆動回路２０及び走査線駆動回路２１は、入力された高周波クロックを用いて各種タイミング信号を生成する。例えば、タイミング信号としては、水平同期信号、垂直同期信号等が生成される。図４は垂直同期信号Ｖｓｙｎｃの例を示している。
【００５２】
一方、ＶＲＡＭ制御回路１５は、ＶＲＡＭに記憶されている表示データを読み出して、データ線駆動回路２０に出力する。データ線駆動回路２０は、ＰＷＭ回路２３によって表示データをＰＷＭ変調し、ＬＣＤ駆動回路２２は変調後の信号を、タイミング制御回路２４からのタイミング信号のタイミングでデータ線に書き込む。
【００５３】
また、走査線駆動回路２１は、ＬＣＤ駆動回路２５がタイミング制御回路２４からのタイミング信号のタイミングで走査信号を走査線に書き込む。これにより、表示領域３７の各ラインが順次選択され、データ線から供給された信号に応じて、各画素が駆動される。こうして、液晶の透過率が画素毎に制御されて階調表示が行われる。
【００５４】
ここで、階調表示に代えて２値画像表示が指示されるものとする。例えば、本実施の形態を携帯電話等に適用した場合には、待ち受け画面の表示モード等において、２値画像表示が指示される。ＭＰＵ１２は、２値画像の表示モードに設定すべきコマンドを図４のタイミングｔ０において受領すると、ＶＲＡＭ制御回路１５にＶＲＡＭ１６から２値画像用の表示データを読み出させると共に、発振制御回路１７に低周波クロックの発振を指示する。
【００５５】
発振制御回路１７は、高周波発振回路１８の発振動作に代えて低周波発振回路１９を発振動作を開始させる。即ち、発振制御回路１７は、図４のタイミングｔ１において、低周波発振回路１９の発振を指示する。低周波発振回路１９のコマンド制御回路４１は、受信した制御信号に従って、ＮＡＮＤ回路４３の他方入力端に“Ｈ”の信号を供給する。これにより、ＮＡＮＤ回路４３はコンデンサＣ１からの帰還信号の反転出力をインバータ４４に出力し始めて、発振が開始される。
【００５６】
また、コマンド制御回路４１は、選択回路４２に、スイッチＳＷ１〜ＳＷ４のいずれのスイッチを選択するかを決定するための制御信号を出力する。選択回路４２は、コマンド制御回路４１に制御されて、スイッチＳＷ１〜ＳＷ４うちの１つをオンにする。これにより、帰還抵抗群４７の抵抗値が決定し、この抵抗値及びコンデンサＣ１の容量値に応じた発振周波数で発振が行われる。発振出力（低周波クロック）は、端子４６を介して出力される。
【００５７】
低周波発振回路１９からの低周波クロックは、データ線駆動回路２０及び走査線駆動回路２１のタイミング制御回路２４，２６に与えられる。タイミング制御回路２４，２６は、入力された低周波クロックを用いて各種タイミング信号を発生する。
【００５８】
本実施の形態においては、低周波発振回路１９からの低周波クロックの発振周波数は、高周波発振回路１９からの高周波クロックの発振周波数に対応したものとなっている。これにより、タイミング制御回路２４，２６において発生するタイミング信号は、高周波クロック使用時に発生したタイミング信号に対応したものとなり、フレーム周期は相互に一致する。
【００５９】
図５は高周波発振回路１８からの高周波クロックと低周波発振回路１９からの低周波クロックとの関係の一例を示している。なお、図５では図面の簡略化のために、高周波クロックと低周波クロックの周波数比を比較的小さい値に設定した例を示している。
【００６０】
図５の例では、高周波クロックの周波数の１／４倍の周波数で低周波クロックを発生させた例を示している。そして、フレーム周期は高周波クロックの周期の４ｎ（ｎは正の整数）倍に設定している。これにより、高周波クロックを用いて生成したタイミング信号に基づくフレーム期間と、低周波クロックを用いて生成したタイミング信号に基づくフレーム期間とを一致させることができる。
【００６１】
なお、本実施の形態を携帯電話の表示パネルに適用する場合には、例えば、画素数が３２０×２４０であり、実際には、６４階調表示に用いる高周波クロックとしては１０ＭＨｚ程度の周波数に設定され、２値画像表示に用いる低周波クロックとしては１００ｋＨｚ程度の周波数に設定される。
【００６２】
低周波クロックの発振周波数が安定すると、ＭＰＵ１２は、図４のタイミングｔ２において、高周波クロックを停止させると共に、低周波クロックを用いてタイミング信号を発生させる。こうして、２値画像表示への表示モードの切換えが行われる。
【００６３】
このように本実施の形態においては、表示モードに応じて、用いるクロックを高周波クロックと低周波クロックとで切換える。この場合には、低周波クロックの周波数を、高周波クロック使用時のフレーム周期に対応する周波数に設定する。これにより、表示モードに応じて表示品位が変化することを防止することができる。また、低周波クロックの周波数の調整は、基板上に形成した抵抗群の抵抗値をコマンドによって切換えることによって行っている。周波数調整用の抵抗を半導体プロセスによって形成しており、実装面積が増大することを防止することができ、設計の自由度を向上させることができる。また、コマンドの設定によって抵抗値を調整することができ、調整作業が簡単である。また、高周波発振回路と低周波発振回路とを基板上の比較的近接した位置に配置することができ、デバイス特性を一致させることができる。これにより、クロック周波数が変動する場合でも、各表示モード毎のフレーム期間を相対的に一致させることができる。
【００６４】
なお、上記実施の形態においては、低周波発振回路の発振周波数を調整する例について説明した。逆に、高周波発振回路の発振周波数を低周波発振回路の発振周波数に基づいて調整することも考えられる。しかし、高周波クロックは、表示データの解像度等に基づくものであり、高周波クロックの周波数を調整するとこれらへの影響があることから、周波数の調整は低周波クロック側で行った方がよい。
【００６５】
また、上記実施の形態においては、帰還抵抗の抵抗値をコマンドによって制御する例について説明したが、帰還コンデンサの容量値を変化させることで発振周波数を制御することもでき、コマンドによって帰還コンデンサの容量を制御するようにしてもよい。
【００６６】
また、本発明の電気光学装置は、パッシブマトリクス型の液晶表示パネルだけでなく、アクティブマトリクス型の液晶パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、有機エレクトロルミネッセンス装置、プラズマディスプレイ装置、電気泳動ディスプレイ装置、電子放出を用いた装置（Field Emission Display 及び Surface-Conduction Electron-Emitter Display 等）、ＤＬＰ（Digital Light Processing）（別名ＤＭＤ：Digital Micromirror Device）等の各種の電気光学装置においても本発明を同様に適用することが可能である。更に、上記実施形態の液晶パネルは所謂ＣＯＦ（Chip On Film）タイプの構造を有しているが、ＩＣチップを直接実装する構造を有する液晶パネルであっても構わない。
【図面の簡単な説明】
【００６７】
【図１】本発明の一実施の形態に係る電気光学装置の駆動回路を示すブロック図。
【図２】液晶表示装置の全体構造を概略的に示す斜視図。
【図３】図１中の低周波発振回路１９の具体的な構成を示す回路図。
【図４】データ線駆動回路２０及び走査線駆動回路２１において用いるクロックの切換えタイミングを説明するためのタイミングチャート。
【図５】本実施の形態における高周波クロックと低周波クロックとの関係を説明するためのタイミングチャート。
【符号の説明】
【００６８】
１２…ＭＰＵ、１５…ＶＲＡＭ制御回路、１７…発振制御回路、１８…高周波発振回路、１９…低周波発振回路、２０…データ線駆動回路、２１…走査線駆動回路、２４，２６…タイミング制御回路。  
【図１】
2007093666.tif 000003
【図２】
2007093666.tif 000004
【図３】
2007093666.tif 000005
【図４】
2007093666.tif 000006
【図５】
2007093666.tif 000007